(57)【特許請求の範囲】
【請求項１】
エレベーターの運行を制御する主制御装置と、各階ホールの呼び入力や運行表示等を行うホール端末機器と、前記主制御装置と前記ホール端末機器との間の通信線と、前記ホール端末機器に電源を供給する共通の電源線を備えたエレベーター装置において、
前記各ホール端末機器は夫々、ＣＰＵと、供給される電源電圧レベルをＡＤ変換するＡＤ変換回路部と、ＡＤ変換した電源電圧レベルを格納する記憶部と、前記電源からの電圧を負荷抵抗を介して接地するスイッチング素子とを備え、前記スイッチング素子を作動して前記電源からの電圧を負荷抵抗を介して接地し、前記電源線に流す電流を増やしたときの電圧レベルを前記記憶部に格納すると共に、前記通信線を介して前記主制御装置に送信し、
前記主制御装置は、階床毎に設置される前記ホール端末機器の固有識別番号(ＩＤ)を、前記各ホール端末機器から送信されてくる各ホール端末機器に供給される前記電源からの電圧レベルの違いに基づいて決定することを特徴とするエレベーター装置。
【請求項２】
請求項１記載のエレベーター装置において、
前記ホール端末機器は、ＡＤ変換した電圧レベルを仮ＩＤとして前記主制御装置に送信し、
前記主制御装置は、前記通信線を介して送信された各ホール端末機器からの仮ＩＤが示す電圧レベルを比較して各ホール端末機器のＩＤを決定し、前記仮ＩＤに前記ＩＤを付加したデータを前記通信線を介して前記各ホール端末機器に送信するように構成したことを特徴とするエレベーター装置。
【発明の詳細な説明】
【技術分野】
【０００１】
本発明は、エレベーター装置に係り、特に各階床に設置するホール端末機器の固有識別番号（ID）を設定する場合に好適な装置に関するものである。
【背景技術】
【０００２】
エレベーターの乗場には、ホール呼びボタン及び応答ランプ等からなるホール端末機器が設けられており、例えば特許文献１のように高階床向けのエレベーターでは、このホール端末機器の数も階床数に比例して設置する個数が多くなる。
【０００３】
このように階床数に比例して多くなるホール端末機器は、設置する階床ごとに識別する必要があることから、ホール端末機器毎にＩＤ設定用のスイッチを設け、このスイッチの設定により各ホール端末機器のＩＤを決定していた。
【先行技術文献】
【特許文献】
【０００４】
【特許文献１】特開平６−２７１２１７号公報
【発明の概要】
【発明が解決しようとする課題】
【０００５】
前記従来技術では、各ホール端末機器のＩＤをホール端末機器毎に設けたスイッチの設定により行っていたため、コスト高の問題があった。また、スイッチの設定は手動となるため、人為的ミスによる設定誤りが発生する問題があった。
【０００６】
一方、前記特許文献１では、高階床化によりホール端末機器が増加し、電源供給ケーブルの電圧降下を問題とし、解決策を提案しているが、上記ＩＤの設定については考慮されていない。
【０００７】
本発明の目的は、前記ホール端末機器に設けていたスイッチの削減、また、人為的ミスによる前記ホール端末機器のＩＤ設定誤りを防止することにある。
【課題を解決するための手段】
【０００８】
このような目的を達成するために、本発明の一つの特徴は、階床毎に設置される前記ホール端末機器の固有識別番号(ＩＤ)を、各ホール端末機器に供給される電源からの電圧レベルの違いに基づいて決定することにある。
【０００９】
本発明のその他の目的及び特徴は、以下に述べる実施の形態の中で明らかにする。
【発明の効果】
【００１０】
本発明によれば、ホール端末機器毎に設けていたスイッチは不要となり、また、スイッチによる設定も不要となるため、前記ホール端末機器のＩＤ設定誤りを防止することができる。
【図面の簡単な説明】
【００１１】
【図１】本発明に係るエレベーター装置の一実施形態を示す要部概略図である。
【図２】図１の主制御装置を構成する処理フローの一実施例である。
【図３】図１のホール端末機器を構成する処理フローの一実施例である。
【発明を実施するための形態】
【００１２】
以下、本発明の実施の形態を図１〜図３を参照して説明する。いずれも本発明の一実施例であり、図１はエレベーター装置全体の要部概略図、図２は主制御装置側の処理フロー、図３はホール端末機器側の処理フローである。
【００１３】
図１において、エレベーター主制御装置１とホール端末機器２１〜２Ｎは、通信線３と電源供給線４で接続され、電源は主制御装置１からホール端末機器２１〜２Ｎに供給される。また、ホール端末機器２１〜２Ｎは、ＣＰＵ５、ＲＡＭ６、送受信回路部７、電源入力部８、ＡＤ変換回路部９を備えている。さらに、電源供給線４に接続する負荷抵抗１０と負荷抵抗１０を制御するトランジスタ１１を備えている。尚、前記のＮはホール端末機器の接続数である。
【００１４】
図１の構成では、電源供給線４にホール端末機器２１〜２Ｎで消費される電流が流れるため、ホール端末機器２１〜２Ｎに供給する電源電圧レベルは、ホール端末機器２１＞ホール端末機器２２＞ホール端末機器２３＞ホール端末機器２Ｎと差異が生じる。この差を相対比較することで、ホール端末機器２１〜２Ｎの正式ＩＤを決定する。
【００１５】
次に、図２及び図３のフローチャートを参照して処理手順の詳細を説明する。
【００１６】
まず、ホール端末機器２１〜２Ｎは電圧レベル問い合わせ受信待ちの状態である。主制御装置１は、図２の手順Ｓ１０１において変数ｎを０に設定する。次に、手順Ｓ１０２において、主制御装置１から全ホール端末機器に対し、供給されている電源電圧レベルが何Ｖかを問い合わせるためにブロードキャスト送信を行い、手順Ｓ１０３にてホール端末機器２１〜２Ｎからの電圧レベル(仮ＩＤ)受信待ち状態となる。
【００１７】
一方、ホール端末機器２１〜２Ｎに備えたＣＰＵ５は、図３の手順Ｓ２０１において問い合せ指令を送受信回路７を介して受信すると、手順Ｓ２０２にてトランジスタ１１により負荷抵抗１０をＯＮし、電源供給線４に流す電流を増やす。この手順Ｓ２０２によって、ホール端末機器２１〜２Ｎに供給する電源電圧レベルに、より差異が生じるため、手順Ｓ１０７における電圧レベル比較が容易となる。
【００１８】
次に、手順Ｓ２０３にて、供給されている電源電圧レベルが何Ｖかを計測してＡＤ変換し、手順Ｓ２０４にて計測結果を仮ＩＤとしてＲＡＭ６に格納する。次に、手順Ｓ２０５において、各ホール端末機器に備えたＣＰＵ５は送受信回路７を介して、手順２０４にて格納した仮ＩＤデータを主制御装置１に送信する。次に、手順Ｓ２０６において、トランジスタ１１により負荷抵抗１０をＯＦＦし、主制御装置１からの送信データ待ちとなる。
【００１９】
主制御装置１は、図２の手順Ｓ１０３において、ホール端末機器２１〜２Ｎから電圧レベル(仮ＩＤ)を受信すると、手順Ｓ１０４で電圧レベル値(仮ＩＤ)を格納し、手順Ｓ１０５で変数ｎがＮと一致しているかを判定する。不一致の場合は、手順Ｓ１０にて変数ｎに１を加え、他ホール端末機器からの電圧レベル(仮ＩＤ)受信待ち状態となる。
【００２０】
手順Ｓ１０５にて変数ｎがホール端末機器接続数Ｎと一致するまで、手順Ｓ１０３から手順Ｓ１０６を繰り返す。変数ｎとホール端末機器接続数Ｎが一致すると、手順Ｓ１０７にて格納した電圧レベル(仮ＩＤ)を相対比較する。図１の構成においては、ホール端末機器２１のデータが最大、次いでホール端末機器２２、次いでホール端末機器２３、最小がホール端末機器２Ｎとなるので、手順Ｓ１０８にて、ホール端末機器２１の正式ＩＤを１、ホール端末機器２２の正式ＩＤを２、ホール端末機器２３の正式ＩＤを３、ホール端末機器２Ｎの正式ＩＤをＮと決定する。
【００２１】
次に、手順Ｓ１１０において、ホール端末機器に対し、仮ＩＤに正式ＩＤを付加したデータを送信し、正式ＩＤ設定完了信号受信待ちとなる。ホール端末機器は、手順Ｓ２０７でデータを受信すると、手順Ｓ２０８で仮ＩＤを抽出し、手順Ｓ２０９において、手順Ｓ２０４にて格納した仮ＩＤと一致するかを判定する。
【００２２】
一致していれば、手順Ｓ２１０で正式ＩＤを抽出し、手順Ｓ２１１でＲＡＭに格納した仮ＩＤを正式ＩＤに変更し、手順Ｓ２１２にて正式ＩＤ設定完了信号を主制御装置１へ送信し、設定完了となる。一致していなければ、再び、主制御装置１からの送信データ待ち状態となる。
【００２３】
そして、主制御装置１は、手順Ｓ１１０にて正式ＩＤ設定完了信号を受信すると、手順Ｓ１１１において、正式ＩＤを全ホール端末機器へ送信したかを判定し、送信していなければ、手順Ｓ１０９から手順Ｓ１１１を繰り返す。全ホール端末機器への正式ＩＤ送信が終了すると、主制御装置１の設定も完了となる。
【００２４】
以上述べたように、本発明の一実施例によれば、各ホール端末機器のＩＤを前記ホール端末機器に供給される電源電圧レベルの違いに基づいて決定することができるので、各ホール端末機器に設けていたスイッチは不要となり、また、スイッチの設定も不要となるため、前記ホール端末機器のＩＤ設定誤りを防止することもできる。
【符号の説明】
【００２５】
１・・・エレベーター主制御装置
２１〜２Ｎ・・・ホール端末機器
３・・・通信線
４・・・電源供給線
５・・・ＣＰＵ
６・・・ＲＡＭ
７・・・送受信回路部
８・・・電源入力部
９・・・ＡＤ変換回路部
１０・・・負荷抵抗
１１・・・負荷抵抗制御用トランジスタ
【図１】
0005315307.tif 000002
【図２】
0005315307.tif 000003
【図３】
0005315307.tif 000004